(57)【要約】【課題】設置場所の移動が可能であって、太陽の向きに対応して太陽光発電パネルの姿勢を変更することができ、設置後の安定性も良好な太陽光発電装置を提供する。【解決手段】太陽光発電装置１００は、設置面Ｆ上に載置可能な円形軌道１０と、長方形状の太陽光発電パネル３０を起伏可能に支持する平面視形状が四角形状の架台２０と、円形軌道１０と架台２０との間に介在し円形軌道１０に沿って移動可能な状態で架台２０に装着された複数の車輪２１と、を備えている。複数の車輪２１は架台２０の角隅部分に突設された支持部２６に回転可能に軸支されている。太陽光発電パネル３０は、その前縁部３１が蝶番部材３２を介して架台２０の前縁部２２の上面に回転可能に取り付けられている。【選択図】図１
2013105955.tif 000002
【特許請求の範囲】
【請求項１】
設置面上に載置可能な円形軌道と、太陽光発電パネルを起伏可能に支持する架台と、前記円形軌道に沿って前記架台を回転可能に支持するため前記円形軌道と前記架台との間に介在された回転部材若しくは滑動部材と、を備えたことを特徴とする太陽光発電装置。
【請求項２】
前記円形軌道に対する前記架台の回転を阻止する係脱可能な係止手段を設けた請求項１記載の太陽光発電装置。
【請求項３】
前記架台に、液体を貯留・排出可能な液体タンクを設けた請求項１または２記載の太陽光発電装置。
【請求項４】
前記円形軌道に、当該太陽光発電装置を移動可能に支える回転体を設けた請求項１〜３のいずれかに記載の太陽光発電装置。
【発明の詳細な説明】
【技術分野】
【０００１】
本発明は、設置場所を変更可能な移動式の太陽光発電装置に関する。
【背景技術】
【０００２】
近年、設置場所を変更可能な移動式の太陽光発電装置に対する要請が高まり、様々な構造、機能を有するものが提案されているが、本願に関連するものとして、例えば、特許文献１記載の「移動式太陽電池発電装置」、特許文献２記載の「可動型太陽電池」あるいは特許文献３記載の「移動式ソーラーシステム」などがある（以下、「太陽光発電装置」と総称する。）。
【先行技術文献】
【特許文献】
【０００３】
【特許文献１】特開２００３−２８２９１８号公報
【特許文献２】特開２００５−１５９１６３号公報
【特許文献３】特開２０１０−３４１９０号公報
【発明の概要】
【発明が解決しようとする課題】
【０００４】
特許文献１記載の「太陽光発電装置」においては、太陽光発電パネルが起伏可能であるため、太陽の高さに応じて太陽光発電パネルの姿勢を調整することができるが、水平方向の太陽光発電パネルの向きを変更するためには、当該装置全体を設置面上で旋回させなければならないので、日の出から日没までの間に大きく変化する太陽の向きに追従することが困難である。
【０００５】
一方、特許文献２，３記載の「太陽光発電装置」は、太陽光発電パネルを起伏可能に支持する構造体に車輪が設けられているので、水平方向の太陽光発電パネルの向きの変更も比較的容易であるが、大型の太陽光発電パネルを必要とする太陽光発電装置には不向きである。
【０００６】
即ち、特許文献２，３記載の「太陽光発電装置」は、設置面に直接、当接する車輪によって装置全体の重量を支える方式であるため、大型で大重量の太陽光発電パネルを備えた場合、装置全体の重量が車輪のみに集中する結果、所定の場所に設置した後、車輪から設置面に集中して加わる荷重によって設置面が凹んで、安定性が損なわれる可能性がある。
【０００７】
本発明が解決しようとする課題は、設置場所の移動が可能であって、太陽の向きに対応して太陽光発電パネルの姿勢を変更することができ、設置後の安定性も良好な太陽光発電装置を提供することにある。
【課題を解決するための手段】
【０００８】
本発明の太陽光発電装置は、設置面上に載置可能な円形軌道と、太陽光発電パネルを起伏可能に支持する架台と、前記円形軌道に沿って前記架台を回転可能に支持するため前記円形軌道と前記架台との間に介在された回転部材若しくは滑動部材と、を備えたことを特徴とする。
【０００９】
このような構成とすれば、所定の設置予定場所に当該太陽光発電装置を運び込み、設置面上に円形軌道を載置し、その上に架台を載せ、太陽光発電パネルの傾斜角度及び向きを調整するだけで稼働可能な状態となる。即ち、本発明に係る太陽光発電装置は、任意の設置場所に運び込んで、前述した操作を行うだけで使用可能となるため、設置場所の移動が可能である。
【００１０】
また、架台に起伏可能に支持された太陽光発電パネルは、その傾斜角度を変更することができるだけでなく、架台とともに円形軌道に沿って回転可能であるため、太陽の向きに対応して太陽光発電パネルの姿勢を変更することができる。
【００１１】
さらに、太陽光発電パネルを支持する架台などの重量は、回転部材若しくは滑動部材を介して円形軌道全体に分散された状態で設置面に加わるため、荷重の集中によって設置面に凹みや沈下が生じるのを抑制することができ、設置後の安定性も良好である。
【００１２】
ここで、前記円形軌道に対する前記架台の回転を阻止する係脱可能な係止手段を設けることが望ましい。
【００１３】
このような構成とすれば、円形軌道に沿って回転させて太陽光発電パネルの向きを調整した後の架台を、その位置から回転しないように係止手段でロックすることができるため、太陽光発電パネルの姿勢を安定的に保持することができる。また、係止手段を解除すれば、架台は円形軌道に沿って回転可能となるため、太陽光発電パネルの向きの再調整も容易である。
【００１４】
また、前記架台に、液体を貯留・排出可能な液体タンクを設けることもできる。
【００１５】
このような構成とすれば、太陽光発電装置を設置した後、液体タンクに水などの液体を注入することにより、当該液体タンクを架台の重りとして機能させることができるので、安定性向上に有効である。また、液体タンク内の液体を排出すれば、重量は軽くなるので、太陽光発電装置の移動、設置あるいは撤収の際の作業性を阻害することもない。
【００１６】
さらに、前記円形軌道に、当該太陽光発電装置を移動可能に支える回転体を設けることもできる。このような構成とすれば、当該太陽光発電装置を設置予定面まで搬送する際の作業性が向上する。
【発明の効果】
【００１７】
本発明により、設置場所の移動が可能であって、太陽の向きに対応して太陽光発電パネルの姿勢を変更することができ、設置後の安定性も良好な太陽光発電装置を提供することができる。
【図面の簡単な説明】
【００１８】
【図１】本発明の第１実施形態である太陽光発電装置を示す斜視図である。
【図２】本発明の第２実施形態である太陽光発電装置を示す斜視図である。
【図３】本発明の第３実施形態である太陽光発電装置を太陽光発電パネル直立状態で示す正面図である。
【図４】図３に示す太陽光発電装置の側面図である。
【図５】図３に示す太陽光発電装置の一部省略平面図である。
【図６】本発明の第４実施形態である太陽光発電装置を太陽光発電パネル直立状態で示す正面図である。
【図７】図６に示す太陽光発電装置の側面図である。
【図８】本発明の第５実施形態である太陽光発電装置を太陽光発電パネル直立状態で示す一部省略正面図である。
【図９】図８に示す太陽光発電装置の一部省略正面図である。
【図１０】図８に示す太陽光発電装置を太陽光発電パネル傾斜状態で示す一部省略正面図である。
【発明を実施するための形態】
【００１９】
図１に示す太陽光発電装置１００は、設置面Ｆ上に載置可能な円形軌道１０と、長方形状の太陽光発電パネル３０を起伏可能に支持する平面視形状が四角形状の架台２０と、円形軌道１０と架台２０との間に介在し円形軌道１０に沿って移動可能な状態で架台２０に装着された回転体である複数の車輪２１と、を備えている。複数の車輪２１は架台２０の角隅部分に突設された支持部２６に回転可能に軸支されている。
【００２０】
太陽光発電パネル３０は、その前縁部３１が蝶番部材３２を介して架台２０の前縁部２２の上面に回転可能に取り付けられている。太陽光発電パネル３０背面の角隅部３３寄りの部分には、棒形状をしたステー部材２３の上端部が起伏可能に軸支され、このステー部材２３の下端部が、雌ネジ部（図示せず）を有するスライダ２４に起伏可能に軸支されている。
【００２１】
スライダ２４は、太陽光発電パネル３０の前縁部３１と直交する水平方向に回転可能に配置された雄ネジ部材２７に螺合され、架台２０の後縁部２８から突出する雄ネジ部材２７の後端部に、当該雄ネジ部材２７を回転させるための操作ハンドル２９が設けられている。
【００２２】
操作ハンドル２９を正転・逆転させると、太陽光発電パネル３０が矢線Ａ方向に沿って起伏する。太陽光発電パネル３０は、直立に起立した状態と水平に倒伏した状態との範囲内で起伏可能であり、この範囲内の任意の傾斜角度で保持することができる。
【００２３】
架台２０の角隅部分に突設された支持部２６には、円形軌道１０に沿って車輪２１が移動するのを阻止するための係脱可能な係止手段１９が設けられている。係止手段１９は支持部２６に固着されたガイド管１９ａと、ガイド管１９ａ内に昇降可能に装入された係止杆１９ｂと、係止杆１９ｂを係止位置及び解除位置でそれぞれ保持するためのストッパ（図示せず）と、を備えている。係止手段１９を解除させた状態で、架台２０に円形軌道１０方向に沿った回転力を加えると、架台２０は、鉛直方向の仮想中心線Ｃ（円形軌道１０の中心線）を中心に矢線Ｂ方向に回転する。
【００２４】
ここで、太陽光発電装置１００の使い方について説明する。設置予定場所に当該太陽光発電装置１００を運び込み、設置面Ｆ上に円形軌道１０を載置し、その上に車輪２１を当接させた状態で架台２０を載せる。この後、架台２０を矢線Ｂ方向に回転させることによって太陽光発電パネル３０の水平方向の向きを適切に設定し、係止手段１９の係止杆１９を下降させて、その下端部を円形軌道１０に係合させ、ストッパ（図示せず）で保持すると、架台２０はその位置で固定される。
【００２５】
この後、架台２０の後縁部２８側にある操作ハンドル２９を回転させ、太陽光発電パネル３０を矢線Ａ方向に起伏させることにより、その傾斜角度を適切に設定すれば、太陽光発電装置１００は稼働可能な状態になる。なお、太陽光発電パネルの向きと傾斜角度の調整は、前述と逆の手順で行うこともできる。
【００２６】
このように、太陽光発電装置１００は、任意の設置場所に運び込んで、前述した操作を行えば、使用可能な状態となるので、設置場所の移動が可能である。また、架台２０に起伏可能に支持された太陽光発電パネル３０は、その傾斜角度を変更することができるだけでなく、架台２０とともに円形軌道１０に沿って回転可能であるため、太陽の向きに対応して太陽光発電パネル３０の姿勢を変更することができる。
【００２７】
さらに、太陽光発電パネル３０を支持する架台２０などの重量は、複数の車輪２１を介して円形軌道１０全体に分散された状態で設置面Ｆに加わるため、荷重の集中によって設置面Ｆに凹みや沈下が生じるのを抑制することができ、設置後の安定性も良好である。
【００２８】
また、円形軌道１０に沿って車輪２１が移動するのを阻止する係脱可能な係止手段１９を設けたことにより、円形軌道１０に沿って回転させて太陽光発電パネル３０の向きを調整した後の架台２０を、その位置から回転しないように係止手段１９でロックすることができるため、太陽光発電パネル３０の姿勢を安定的に保持することができる。また、係止杆１９ｂを上昇させて円形軌道１０から離脱させ、係止手段１９を解除すれば、架台２０は円形軌道１０に沿って回転可能となるため、太陽光発電パネル３０の向きの再調整も容易である。
【００２９】
太陽光発電装置１００においては、円形軌道１０に対する架台２０の回転手段として車輪２１を用いているが、これに限定しないので、円形軌道１０に沿って滑りながら移動する滑動部材や摺動部材（図示せず）あるいはベアリングなどを採用することもできる。
【００３０】
次に、図２に基づいて、本発明の第２実施形態である太陽光発電装置２００について説明する。なお、太陽光発電装置２００において、図１に示す太陽光発電装置１００と共通する構造、機能を有する部分については、図１に示す符号と同符号を付して説明を省略する。
【００３１】
図２に示す太陽光発電装置２００においては、架台２０の下面側に、液体を貯留・排出可能な複数の液体タンク４０を設け、これらの液体タンク４０を互いに連通管４１を介して接続している。車輪２１は、それぞれの液体タンク４０の下面側に回転可能に軸支されている。
【００３２】
太陽光発電装置２００を設置面Ｆ上に設置した後、液体タンク４０に水などの液体を注入すれば、当該液体タンク４０が架台２０の重りとして機能するので、設置後の安定性向上に有効である。また、液体タンク４０内の液体を排出すれば、重量は軽くなるので、太陽光発電装置２００の移動、設置あるいは撤収の際の作業性を阻害することもない。
【００３３】
複数の液体タンク４０は連通管４１で互いに接続されているので、いずれか一つの液体タンク４０に液体の注入、排出を行うことにより、複数の液体タンク４０全体への液体の注入、排出を行うことができる。また、架台２０と各液体タンク４０とは着脱可能であり、液体タンク４０と連通管４１とは着脱可能であるため、設置場所まで搬送するとき、あるいは撤収、移動のときには、必要に応じて、各部材ごとに分解することもできる。
【００３４】
次に、図３〜図５に基づいて、本発明の第３実施形態である太陽光発電装置３００について説明する。図３〜図５に示すように、太陽光発電装置３００は、設置面Ｆ上に載置可能な円形軌道５０と、太陽光発電パネル３０を起伏可能に支持する格子構造の架台５１と、円形軌道５０に沿って架台５１を回転可能に支持するため円形軌道５０と架台５１との間に介在された滑動部材５２と、を備えている。滑動部材５２は円形軌道５０と同じ形状、サイズの円形部材であり、架台５１の下面側に取り付けられている。滑動部材５２は、円形軌道５０上に同心状態で上下に重なるように配置され、円形軌道５０及び滑動部材５２の中心部分に設けられた軸支機構５３を介して、回転自在に取り付けられている。円形軌道５０と滑動部材５２との間には複数のベアリング（図示せず）が介在されているので、滑動部材５２は円形軌道５０に対して軸支機構５３を中心に回転自在である。
【００３５】
軸支機構５３は、円形軌道５０の中心に開口部を上に向けた状態で垂直方向に取り付けられた円筒体（図示せず）に対し、滑動部材５２の中心に端部を下に向けた状態で垂直下方に取り付けられた円柱状（若しくは円筒状）のボス（図示せず）を、回転自在に差し込むことによって形成されている。前記円筒体は、円形軌道５０の内側に直径方向に交差して配置された複数の支持部材（図示せず）を介して、当該円形軌道５０の中心に取り付けられ、前記ボスは円形の滑動部材５２の直径方向に交差して配置された複数の支持部材（図示せず）を介して、当該滑動部材５２の中心に取り付けられている。なお、軸支機構５３に限定するものではないので、前述した円筒体とボスとの上下位置を逆にした軸支機構あるいはその他の周知技術を採用することもできる。
【００３６】
太陽光発電パネル３０は、その前縁部３１が、蝶番部材３２を介して架台５１の前縁部５１ａの上面に回転可能に取り付けられている。太陽光発電パネル３０の背面の複数個所には、棒形状をしたステー部材５４の上端部がブラケット３４を介して起伏可能に軸支され、ステー部材５４の下端部は、架台５１の左右方向（図３，図５中の矢線Ｘ方向）に配置されたスライド板５９に、それぞれブラケット３５を介して起伏可能に軸支されている。
【００３７】
図５に示すように、スライド板５９は、架台５１の中央部に前後方向（矢線Ｙ方向）に配置された雄ネジ部材５６と、その左右に雄ネジ部材５６と平行に配置されたバー材５６ａに対し、それぞれスライダ５５，５５ａを介して取り付けられている。中央部のスライダ５５は雌ネジ部（図示せず）を介して雄ネジ部材５６に螺合され、左右のスライダ５５ａはそれぞれバー材５６ａに沿って摺動可能に取り付けられている。
【００３８】
雄ネジ部材５６は架台５１に回転可能に取り付けられ、架台５１の後縁部５１ｂから突出する雄ネジ部材５６の後端部に、当該雄ネジ部材５６を回転させるための操作ハンドル５８が設けられている。操作ハンドル５８を正転・逆転させると、スライダ５５が雄ネジ部材５６に沿って前後方向（矢線Ｙ方向）に移動し、これに伴ってスライド板５９が前後方向（矢線Ｙ方向）に移動して複数のステー部材５４が同時に起伏する。これにより、図４に示すように、太陽光発電パネル３０が矢線Ｄ方向に沿って起伏する。太陽光発電パネル３０は、図４に示すように、直立した状態と水平に倒伏した状態との範囲内で起伏可能であり、この範囲内の任意の傾斜角度で保持することができる。
【００３９】
太陽光発電装置３００を使用する場合、設置予定場所まで太陽光発電装置３００を搬入し、設置面Ｆ上に円形軌道５０を接地させた状態で載置した後、架台５１を滑動部材５２とともに、軸支機構５３を中心に回転させることによって太陽光発電パネル３０の水平方向の向きを設定し、操作ハンドル５８を回転させることによって太陽光発電パネル３０の傾斜角度を設定する。太陽光パネル３０の傾斜角度の設定が完了したら、左右のスライダ５５ａに設けられているロック手段（図示せず）を操作し、スライダ５５ａがバー材５６ａに沿ってスライドしないように係止する。なお、傾斜角度を調整するときは、前記ロック手段を解除すれば、スライダ５５ａはバー材５６ａに沿ってスライド可能となる。
【００４０】
このように、太陽光発電装置３００においては、太陽光発電パネル３０の水平方向の向き及び角度は任意に変更することができるので、太陽の向きに対応した姿勢にすることができる。なお、太陽光発電装置３００を設置した後の安定性を向上させるため、アンカー材（図示せず）を用いて円形軌道５０を設置面Ｆ上に固定することもできる。
【００４１】
また、図４に示すように、バー材５６ａが降雨などによって水濡れして発錆するのを防止するため、半円管状の防水カバー３６をバー材５６ａの露出部分に着脱可能に装着することもできる。防水カバー３６には折曲部３６ａが設けられているので、装着しようとするバー材５６ａの露出部分の長さに合わせて、折曲部３６ａで折り曲げて長さ調整をすることができる。
【００４２】
さらに、太陽光発電装置３００においては、円形軌道５０と、滑動部材及び架台５１と、太陽光発電パネル３０及び支持枠３７と、に３分割することができるので、設置場所までの搬送性や不使用時の保管性も良好である。
【００４３】
次に、図６，図７に基づいて、本発明の第４実施形態である太陽光発電装置４００について説明する。なお、太陽光発電装置４００において、図３，図４に示す太陽光発電装置３００と共通する構造、機能を有する部分については、図３，４に示す符号と同符号を付して説明を省略する。
【００４４】
図６，図７に示す太陽光発電装置４００においては、円形軌道５０の下面側に、当該太陽光発電装置４００を移動可能に支える回転体である４個のキャスタ６１と、４個のストッパ６２と、が設けられている。キャスタ６１は転動自在及び方向変換自在に取り付けられ、ストッパ６２はネジ機構を介して円形軌道５０から設置面Ｆに向かって進退可能に取り付けられている。キャスタ６１及びストッパ６２は円形軌道５０の円周方向に沿って４５度間隔で交互に配置されているが、配置個数や配置間隔を限定するものではない。
【００４５】
太陽光発電装置４００の場合、各ストッパ６２のネジ機構６２ａを利用して、その下端の接地部６２ｂを設置面Ｆから離れさせれば、太陽光発電装置４００は複数のキャスタ６１によって支えられた状態となるので、架台５１などに水平方向の力を加えることにより、任意の方向に移動可能であり、太陽光発電装置４００を設置予定面まで搬送する際の作業性が良好である。
【００４６】
また、太陽光発電装置４００を設置面Ｆ上に搬入した後、各ストッパ６２のネジ機構６２ａを利用して、それぞれの接地部６２ｂを設置面Ｆに接地させれば、太陽光発電装置４００は、複数のストッパ６２により、その位置に安定保持される。また、複数のストッパ６２の接地部６２ｂの上下位置は、それぞれネジ機構により調整可能であるため、設置面Ｆに若干の凹凸があっても、太陽光発電装置４００を、設置面Ｆ上にガタツキなく設置することができる。なお、太陽光発電装置４００を設置した後の安定性をさらに向上させるため、ストッパ６２の代わりにアンカー材（図示せず）を用いて円形軌道５０を設置面Ｆ上に固定することもできる。
【００４７】
さらに、太陽光発電装置４００においては、円形軌道５０と、滑動部材５２及び架台５１と、は分離可能であり、ブラケット３４をステー部材５４から離脱させ、架台５１に対して太陽光発電パネル３０を左右いずれかの方向（矢線Ｘのいずれか一方向）にスライドさせると、蝶番部材３２が分離して、太陽光発電パネル３０及びその支持枠３７を架台５１から取り外すことができる。即ち、太陽光発電装置４００は、円形軌道５０と、滑動部材及び架台５１と、太陽光発電パネル３０及び支持枠３７と、に３分割することができるので、設置場所までの搬送性や不使用時の保管性も良好である。
【００４８】
次に、図８〜図１０に基づいて、本発明の第５実施形態である太陽光発電装置５００について説明する。なお、図８〜図１０に示す太陽光発電装置５００において、図１〜図７に示す太陽光発電装置１００，２００，３００，４００と共通する構造、機能を有する部分については、図１〜図７中の符号と同符号を付して説明を省略する。また、図８〜図１０に示す太陽光発電装置５００おいては、図１，図２に示す太陽光発電装置１００，２００を構成する円形軌道１０、車輪２１、係止手段１９を省略している。
【００４９】
図８〜図１０に示す太陽光発電装置５００は、支持枠７７に固定された太陽光発電パネル３０を蝶番部材３２を介して起伏可能に支持する格子形状の架台７０と、太陽光発電パネル３０を傾斜状態で保持するために支持枠７７の背面と架台７０との間に設けられたリンク部材７１と、架台７０の下面に着脱可能に取り付けられた複数の液体タンク７２と、複数の液体タンク７２同士を連通する複数の連通管７３と、を備えている。
【００５０】
図１０に示すように、リンク部材７１は屈伸可能な複数の関節部７４を有し、その上端部７１ａはブラケット７４を介して支持枠７７の背面に軸支され、下端部７１ｂはブラケット７５を介して架台７０に軸支されている。リンク部材７１を直線状に伸展させると太陽光発電パネル３０は支持枠７７とともに傾斜状態に保持され、リンク部材７１を各関節部７４で曲げて折り畳むと、太陽光発電パネル３０は支持枠７７とともに、架台７０上面に密着する状態に倒伏する。
【００５１】
架台７０は、その下面を、複数の液体タンク７２の蓋板７２ａの上面に密着させた状態でそれぞれ複数のネジ７６により着脱可能に固定されている。液体タンク７２の外観は直方体状をなし、３つの外周面にそれぞれ液体タンク７２内と連通するフランジ７８ｆ付の連結管７８が突設状に配管されている。連通管７３の両端のフランジ７３ｆをそれぞれ隣り合う液体タンク７２の連結管７８のフランジ７３ｆに接続することにより、複数の液体タンク７２が互いに連通されている。液体タンク７２の蓋板７２ａには、逆Ｕ字状のエア抜き管（図示せず）が設けられている。連通管７３と接続されていない連結管７８は、そのフランジ７８ｆに蓋板７９を取り付けることによって閉塞されている。連通管７３は硬質の合成樹脂管や金属管で形成することができるが、可撓性を有するホースを用いて形成することもできる。
【００５２】
太陽光発電装置５００を設置面上に設置した後、液体タンク７２に水などの液体を注入すれば、当該液体タンク７２が架台２０の重りとして機能するので、設置後の安定性に優れている。また、液体タンク７０内の液体を排出すれば、重量は軽くなるので、太陽光発電装置５００の移動、設置あるいは撤収の際の作業性も良好である。
【００５３】
複数の液体タンク７２は連通管７３で互いに接続されているので、いずれか一つの液体タンク７２に液体の注入、排出を行うことにより、複数の液体タンク５２への液体の注入、排出を同時に行うことができる。本実施形態では、４個の液体タンク５２を配置しているが、個数は限定しないので、太陽光発電パネル３０及び架台７０の大きさに応じて、配置個数を増減することができる。
【００５４】
また、太陽光発電装置５００においては、ネジ７６を取り外せば、架台７０と液体タンク７２とを分離することができ、フランジ７３ｆ，７８ｆを分離すれば、液体タンク７２と連通管７３とを分離することができるので、設置場所への搬送、移動あるいは保管の際の占有スペースを低減することができる。
【００５５】
図１〜図１０に示す太陽光発電装置１００，２００，３００，４００，５００は、本発明を例示するものであり、本発明に係る太陽光発電装置は、これらの太陽光発電装置１００，２００，３００，４００，５００に限定されるものではない。
【産業上の利用可能性】
【００５６】
本発明は、電源設備のない場所で電気機器使用する場合の給電手段として、様々な分野において広く利用することができる。
【符号の説明】
【００５７】
１０，５０  円形軌道
１９  係止手段
１９ａ  ガイド管
１９ｂ  係止杆
２０，５１，７０  架台
２１  車輪
２２，５１ａ  前縁部
２３，５４  ステー部材
２４  スライダ
２５  側縁部
２６  支持部
２７，５６  雄ネジ部材
２８，５１ｂ  後縁部
２９  操作ハンドル
３０  太陽光発電パネル
３１  前縁部
３２  蝶番部材
３３  角隅部
３４，３５，７４，７５  ブラケット
３６  防水カバー
３６ａ  折曲部
３７，７７  支持枠
４０，７２  液体タンク
４１，７３  連通管
５２  滑動部材
５３  軸支機構
５５，５５ａ  スライダ
５６ａ  バー材
５８  操作ハンドル
５９  スライド板
６１  キャスタ
６２  ストッパ
６２ａ  ネジ機構
６２ｂ  接地部
７１  リンク部材
７１ａ  上端部
７１ｂ  下端部
７３ｆ，７８ｆ  フランジ
７４  関節部
７６  ネジ
７９  蓋板
１００，２００，３００，４００，５００  太陽光発電装置
Ｆ  設置面
【図１】
2013105955.tif 000003
【図２】
2013105955.tif 000004
【図３】
2013105955.tif 000005
【図４】
2013105955.tif 000006
【図５】
2013105955.tif 000007
【図６】
2013105955.tif 000008
【図７】
2013105955.tif 000009
【図８】
2013105955.tif 000010
【図９】
2013105955.tif 000011
【図１０】
2013105955.tif 000012